(57)【特許請求の範囲】
【請求項１】
管状の芯管に刷毛を付設した刷毛ローラと、該刷毛ローラの芯管内にその一端側から挿入され該芯管が回転可能に支持される回転シャフトと、該回転シャフトに連設される把手とを備えたローラ式塗布具において、
円筒状に形成されるとともに軸方向に沿ってすり割が設けられ上記回転シャフトに挾入されて保持される樹脂製のカラーと、上記芯管の一端側から嵌入され上記カラーを回転可能かつ抜け止めして保持するとともに上記カラーの左右に露出した回転シャフトの先端部及び基端部を軸支する樹脂製の軸受ケースとを備えて構成し、
上記軸受ケースを、一端部に設けられ上記カラーが挿入されるとともに上記回転シャフトの先端部を回転可能に軸支する第一軸受孔と、該第一軸受孔に連通して設けられるとともに左右に上記カラーの抜け止めの段部を有し上記第一軸受孔から挿入されたカラーを回転可能に収納する収納部と、他端部に上記収納部に連通して設けられ上記回転シャフトの基端部を回転可能に軸支する第二軸受孔とを備えて構成し、
上記軸受ケースの第一軸受孔が設けられる一端部を、軸方向に沿う切込みを入れて形成され拡開可能な複数のフィンガの列で構成し、該複数のフィンガの拡開により第一軸受孔を拡径させて上記カラーを収納部に挿入可能にし、
上記第一軸受孔が上記フィンガの先端から段部に向けて順次縮径するように該第一軸受孔の内面を傾斜形成したことを特徴とするローラ式塗布具。
【請求項２】
上記軸受ケースの他端部に上記芯管への嵌入時に該芯管の端面を覆うフランジを設けたことを特徴とする請求項１記載のローラ式塗布具。
【請求項３】
上記刷毛ローラとして、予め、長尺の芯管に刷毛を付設し、その後、所要長さに切断したものを用いたことを特徴とする請求項１または２記載のローラ式塗布具。
【発明の詳細な説明】
【０００１】
【発明の属する技術分野】
本発明は、ペンキ等の塗料を手作業で塗布するためのローラ式塗布具に係り、特に、把手に連設された回転シャフトにより刷毛ローラを回転可能に支持してなるローラ式塗布具に関する。
【０００２】
【従来の技術】
従来、この種のローラ式塗布具は、例えば、図５に示すように、管状の芯管２に刷毛３を付設した刷毛ローラ１と、刷毛ローラ１の芯管２内に挿入され芯管２が軸受部４を介して回転可能に支持される回転シャフト５と、回転シャフト５に連設される把手６とを備えて構成されている。
軸受部４は、芯管２の中央に一体に設けられた仕切り７に回転シャフト５の先端部５ａを回転可能に軸支する第一軸受孔８を設ける一方、芯管２の端部に嵌入したブッシュ１０に回転シャフト５の基端部５ｂを回転可能に軸支する第二軸受孔１１を設けて構成されている。また、回転シャフト５には、円筒状で軸方向に沿ってすり割（図示せず）が設けられ弾性変形可能な樹脂製のカラー１２が、回転シャフト５の先端部５ａ及び基端部５ｂが露出するように、挾入されて保持されており、このカラー１２を上記仕切り７とブッシュ１０との間に収納して、仕切り７とブッシュ１０によって抜け止めし、回転シャフト５を芯管２内に回転可能に保持している。
【０００３】
このローラ式塗布具Ｔを製造するときは、予め、芯管２を成形機を用いて型成形し、この芯管２にシート状の刷毛３を貼着あるいは溶着により付設して刷毛ローラ１を作成しておく。そして、芯管２の一端側からカラー１２を挿入するとともに、ブッシュ１０を嵌入してカラー１２を内部に収納し、その後、回転シャフト５をブッシュ１０の第二軸受孔１１から挿入して、カラー１２に挾入し、先端部５ａを仕切り７の第一軸受孔８に挿入してこれに軸支する。
【０００４】
【発明が解決しようとする課題】
ところで、この従来のローラ式塗布具Ｔにあっては、芯管２に第一軸受孔８を有した仕切り７を一体成形しているので、専用の成形機を用いて１個１個作成しなければならないし、また、芯管２において個々にシート状の刷毛３を付設しなければならないこともあって、製造が煩雑でコスト高になっているという問題があった。
即ち、芯管としては、連続形成可能な仕切りのない長い管に予め刷毛を付設し、その後、これを所要の長さに切断したものを用いて作成できれば良いが、この従来のローラ式塗布具にあっては、芯管２の仕切り７のある構造上、どうしても芯管個別に作成せざるを得ないので、上記の問題が生じてしまうのである。
本発明は、上記の問題点に鑑みてなされたもので、芯管として、連続形成可能な仕切りのない長い管を所要の長さに切断したものを用いることができるようにし、もって、芯管の製造を簡易にしてコストダウンを図ったローラ式塗布具の提供を目的とする。
【０００５】
【課題を解決するための手段】
このような目的を達成するため、本発明に係るローラ式塗布具は、管状の芯管に刷毛を付設した刷毛ローラと、該刷毛ローラの芯管内にその一端側から挿入され該芯管が回転可能に支持される回転シャフトと、該回転シャフトに連設される把手とを備えたローラ式塗布具において、円筒状に形成されるとともに軸方向に沿ってすり割が設けられ上記回転シャフトに挾入されて保持される樹脂製のカラーと、上記芯管の一端側から嵌入され上記カラーを回転可能かつ抜け止めして保持するとともに上記カラーの左右に露出した回転シャフトの先端部及び基端部を軸支する樹脂製の軸受ケースとを備えて構成している。
【０００６】
この構成により、ローラ式塗布具を組み立てるときは、予め、軸受ケースにカラーを組付けておく。そして、カラーを収納した軸受ケースを芯管の一端に嵌入する。その後、軸受ケースに回転シャフトを挿入し、軸受ケースに収納されたカラーに回転シャフトを挾入して、カラーの左右に露出した回転シャフトの先端部及び基端部を軸受ケースに軸支する。これにより、ローラ式塗布具が製品として完成する。
この場合、回転シャフトの先端部及び基端部を軸支する軸受ケースを芯管に嵌入するので、軸受ケースのみで回転シャフトを支持できる。そのため、従来のように、芯管の内部に回転シャフトを軸支するための仕切りを設けなくても回転シャフトを支持できるので、芯管として、連続形成された長尺の管を切断したものを用いることができるようになる。その結果、従来のように、内部に仕切りのある芯管を専用の成形機を用いて１個１個作成しなくても良く、それだけ、製造が容易になり、コストを大幅に低減することができるようになる。
【０００７】
そして、必要に応じ、上記軸受ケースを、一端部に設けられ上記カラーが挿入されるとともに上記回転シャフトの先端部を回転可能に軸支する第一軸受孔と、該第一軸受孔に連通して設けられるとともに左右に上記カラーの抜け止めの段部を有し上記第一軸受孔から挿入されたカラーを回転可能に収納する収納部と、他端部に上記収納部に連通して設けられ上記回転シャフトの基端部を回転可能に軸支する第二軸受孔とを備えて構成している。
これにより、カラーを第一軸受孔から挿入するだけで、カラーを保持できるので、カラーの組付けが極めて容易に行なわれる。また、回転シャフトが第一及び第二軸受孔に軸支されるので、刷毛ローラに対する相対的回転が円滑に行なわれる。
【０００８】
この構成において、上記軸受ケースの第一軸受孔が設けられる一端部を、軸方向に沿う切込みを入れて形成され拡開可能な複数のフィンガの列で構成し、該複数のフィンガの拡開により第一軸受孔を拡径させて上記カラーを収納部に挿入可能にしたことが有効である。複数のフィンガの拡開により第一軸受孔を拡径させてカラーを収納部に挿入できるので、カラーを容易に挿入することができ、より一層このカラーの組付けが容易に行なわれる。
この場合、上記第一軸受孔が上記フィンガの先端から段部に向けて順次縮径するように該第一軸受孔の内面を傾斜形成したことが有効である。カラーの第一軸受孔に対する挿入が容易に行なわれ、フィンガの拡開が容易に行なわれる。
【０００９】
また、必要に応じ、上記軸受ケースの他端部に上記芯管への嵌入時に該芯管の端面を覆うフランジを設けた構成としている。端部の見栄えが良くなり、外観品質が向上させられる。
そして、上記刷毛ローラとして、予め、長尺の芯管に刷毛を付設し、その後、所要長さに切断したものを用いた構成としている。芯管を専用の成形機を用いて１個１個作成しなくても良く、それだけ、製造が容易に行なわれる。
【００１０】
【発明の実施の形態】
以下添付図面に基づいて本発明の実施の形態に係るローラ式塗布具を詳細に説明する。尚、上記と同様のものには同一の符号を付して説明する。
図１乃至図４に示すように、実施の形態に係るローラ式塗布具Ｔは、管状の芯管２１に刷毛２２を付設した刷毛ローラ２０と、刷毛ローラ２０の芯管２１内に一端２１ａ側から挿入され芯管２１が回転可能に支持される回転シャフト５と、回転シャフト５にアーム６ａを介して連設される把手６とを備えている。
刷毛ローラ２０の芯管２１は、円筒状の樹脂製の管であり、長尺のものを所要長さに切断したものである。また、刷毛ローラ２０の刷毛２２は、例えば、布製あるいは樹脂製シートに樹脂製の細毛を植設したものが用いられ、芯管２１に接着剤により貼着され、あるいは、芯管２１の表面を溶融することにより溶着されている。
更に詳しくは、刷毛ローラ２０は、予め、長尺の芯管２１に刷毛２２を付設し、その後、所要長さに切断したものが用いられている。また、刷毛ローラ２０は、芯管２１の他端２１ｂを刷毛２２とともに該芯管２１の内側に折り込んで形成されている。
【００１１】
実施の形態に係るローラ式塗布具Ｔは、回転シャフト５に挾入されて保持される弾性変形可能な樹脂製のカラー２３を備えている。カラー２３は円筒状に形成されるとともに軸方向に沿ってすり割２４が設けられている。回転シャフト５のカラー２３の両側においては、回転シャフト５の先端部５ａ及び基端部５ｂが露出される。
また、実施の形態に係るローラ式塗布具Ｔは、芯管２１の一端２１ａから嵌入されカラー２３を回転可能かつ抜け止めして保持するとともに、カラー２３の左右に露出した回転シャフト５の先端部５ａ及び基端部５ｂを軸支する樹脂製の軸受ケース３０を備えている。
軸受ケース３０は、図３及び図４に詳しく示すように、一端部３０ａに設けられカラー２３が挿入されるとともに回転シャフト５の先端部５ａを回転可能に軸支する第一軸受孔３１と、第一軸受孔３１に連通して設けられるとともに左右にカラー２３の抜け止めの段部３２を有し第一軸受孔３１から挿入されたカラー２３を回転可能に収納する収納部３３と、他端部３０ｂに収納部３３に連通して設けられ回転シャフト５の基端部５ｂを回転可能に軸支する第二軸受孔３４とを備えて構成されている。
【００１２】
詳しくは、軸受ケース３０の第一軸受孔３１が設けられる一端部３０ａは、先端先細りに形成され、軸方向に沿う切込み３５を複数（実施の形態では、４本）入れて形成され拡開可能な複数のフィンガ３６の列で構成されており、複数のフィンガ３６の拡開により第一軸受孔３１を拡径させてカラー２３を収納部３３に挿入可能にしてある。
また、第一軸受孔３１がフィンガ３６の先端から段部３２に向けて順次縮径するように、第一軸受孔３１の内面３７が、傾斜形成されている。
更に、軸受ケース３０の他端部３０ｂには、芯管２１への嵌入時に芯管２１の端面を覆うフランジ３８が設けられている。
【００１３】
従って、この実施の形態に係るローラ式塗布具を製造するときは、先ず、図３及び図４に示すように、予め、軸受ケース３０にカラー２３を組付けておく。この際、軸受ケース３０の第一軸受孔３１からカラー２３を押し込む。この場合、第一軸受孔３１のある一端部３０ａは、軸方向に沿う切込み３５を入れて形成され拡開可能な複数のフィンガ３６の列で構成されているので、カラー２３を押し込むと、複数のフィンガ３６が拡開して第一軸受孔３１が拡径し、そのため、容易にカラー２３が収納部３３に挿入されていき、組付けが極めて容易に行なわれる。
また、この場合、第一軸受孔３１の内面３７が、第一軸受孔３１がフィンガ３６の先端から段部３２に向けて順次縮径するように、傾斜形成されているので、カラー２３の第一軸受孔３１に対する挿入が容易に行なわれ、フィンガ３６の拡開が容易に行なわれる。
【００１４】
一方、予め、刷毛ローラ２０を用意しておく。この刷毛ローラ２０は、長尺の円筒状の樹脂製の管からなる芯管２１に、シート状の刷毛２２を巻回して接着剤により貼着し、あるいは、芯管２１の表面を溶融することにより溶着して付設し、その後、所要長さに切断して作成する。
この場合、芯管２１は、連続形成された長尺の管を切断するだけで良いので、従来のように、芯管を専用の成形機を用いて１個１個作成しなくても良く、それだけ、製造が容易になり、コストが大幅に低減される。
【００１５】
次に、刷毛ローラ２０の芯管２１の他端２１ｂを、刷毛２２とともに芯管２１の内側に折り込む。これにより、他端２１ｂの刷毛２２が芯管２１内に折り込まれるので、端末処理が確実になり、他端２１ｂの強度が確保されるとともに、見栄えも良く、外観品質も向上させられる。
次にまた、上記のカラー２３を収納した軸受ケース３０を芯管２１の一端２１ａから嵌入する。
この状態では、軸受ケース３０の他端部３０ｂにおいては、芯管２１の端面が軸受ケース３０のフランジ３８で覆われるので、見栄えが良く、外観品質が向上させられる。
【００１６】
その後、図１に示すように、軸受ケース３０の第二軸受孔３４から回転シャフト５を挿入する。この際には、軸受ケース３０の収納部３３に収納されたカラー２３に回転シャフト５を挾入して貫通させ、回転シャフト５の先端部５ａを第一軸受孔３１に挿通してこれに軸支させる。これにより、ローラ式塗布具Ｔが製品として完成する。
そして、このローラ式塗布具Ｔを使用するときには、把手６を把持して、刷毛２２に塗料等を含ませ、被塗布物に刷毛ローラ２０を転動させて塗布を行なう。この場合、回転シャフト５は軸受ケース３０の第一及び第二軸受孔３１，３４に軸支されているので、刷毛ローラ２０に対する相対的回転が円滑に行なわれる。また、カラー２３が軸受ケース３０の収納部３３に収納され段部３２によって抜け止めされているので、回転シャフト５が刷毛ローラ２０から容易に抜け出ることがなく、これによっても、回転が円滑かつ確実に行なわれる。
【００１７】
尚、上記実施の形態において、軸受ケース３０の軸方向に沿う切込み３５を４本にしているが、必ずしもこれに限定されるものではなく、１乃至３本または５本以上入れて形成しても良く、適宜変更して差支えない。
また、上記実施の形態において、刷毛ローラ２０の芯管２１を円筒状の樹脂製の管で構成したが、必ずしもこれに限定されるものではなく、例えば、紙製の管で形成しても良く、適宜変更して差支えない。
【００１８】
【発明の効果】
以上説明したように、本発明のローラ式塗布具によれば、芯管の一端側から、回転シャフトを回転可能かつ抜け止めして保持する樹脂製の軸受ケースを嵌入する構成としたので、軸受ケースのみで回転シャフトを支持でき、そのため、芯管の内部に回転シャフトを軸支するための部材を一体に設けなくても回転シャフトを支持できることから、芯管として、連続形成された長尺の管を切断したものを用いることができるようになる。その結果、従来のように、内部に仕切りのある芯管を専用の成形機を用いて１個１個作成しなくても良く、それだけ、製造が容易になり、コストを大幅に低減することができる。
また、軸受ケースを、カラーが挿入されるとともに回転シャフトの先端部を回転可能に軸支する第一軸受孔と、第一軸受孔から挿入されたカラーを回転可能に収納する収納部と、回転シャフトの基端部を回転可能に軸支する第二軸受孔とを備えて構成した場合には、カラーを第一軸受孔から挿入するだけで、カラーを保持できるので、カラーの組付けを極めて容易に行なうことができる。また、回転シャフトが第一及び第二軸受孔に軸支されるので、刷毛ローラに対する相対的回転を円滑に行なわせることができ、操作性を確保することができる。
【００１９】
更に、軸受ケースの第一軸受孔が設けられる一端部を、軸方向に沿う切込みを入れて形成され拡開可能な複数のフィンガの列で構成した場合には、複数のフィンガの拡開により第一軸受孔を拡径させてカラーを収納部に挿入できるので、カラーを容易に挿入することができ、より一層このカラーの組付けを極めて容易に行なうことができる。
この場合、第一軸受孔がフィンガの先端から段部に向けて順次縮径するように該第一軸受孔の内面を傾斜形成すれば、カラーの第一軸受孔に対する挿入を容易に行なってフィンガの拡開を容易に行なうことができ、カラーの組付けをより一層容易に行なうことができる。
【００２０】
更にまた、軸受ケースの他端部に芯管の端面を覆うフランジを設けた場合には、端部の見栄えが良くなり、外観品質を向上させることができる。
そして、刷毛ローラとして、予め、長尺の芯管に刷毛を付設し、その後、所要長さに切断したものを用いた場合には、従来のように、内部に仕切りのある芯管を専用の成形機を用いて１個１個作成しなくても良く、それだけ、製造が容易になり、コストを大幅に低減することができる。
【図面の簡単な説明】
【図１】本発明の実施の形態に係るローラ式塗布具を示す断面図である。
【図２】本発明の実施の形態に係るローラ式塗布具を示す分解斜視図である。
【図３】本発明の実施の形態に係るローラ式塗布具のカラー及び軸受ケースをその分離状態で示す断面図である。
【図４】本発明の実施の形態に係るローラ式塗布具のカラー及び軸受ケースをその組付け状態で示す断面図である。
【図５】従来のローラ式塗布具の一例を示す断面図である。
【符号の説明】
Ｔ  ローラ式塗布具
５  回転シャフト
５ａ  先端部
５ｂ  基端部
６  把手
２０  刷毛ローラ
２１  芯管
２１ａ  一端
２１ｂ  他端
２２  刷毛
２３  カラー
２４  すり割
３０  軸受ケース
３０ａ  一端部
３０ｂ  他端部
３１  第一軸受孔
３２  段部
３３  収納部
３４  第二軸受孔
３５  切込み
３６  フィンガ
３７  内面
３８  フランジ
【図１】
0004201397.tif 000002
【図２】
0004201397.tif 000003
【図３】
0004201397.tif 000004
【図４】
0004201397.tif 000005
【図５】
0004201397.tif 000006